(57)【要約】【課題】メンテナンス性に優れ、ダンパ機構を高さ方向に伸縮させることができ、ダンパ機構の高さを縮めることでダンパ機構を取り外すことができる外気処理空気調和機を提供する。【解決手段】筐体１１に、外気と内気を熱交換する全熱交換素子３１と、外気を屋内に全熱交換器を経て導入する導入経路と、内気を屋外に全熱交換素子３１を経て排出する排出経路３４と、内気を屋外に全熱交換器をバイパスして排出するバイパス経路３９と、バイパス経路３９及び排出経路３４を択一的に切換えるダンパユニット８０と、を備えた外気処理空気調和機１０において、ダンパユニット８０が、筐体１１の高さ方向に分割されて、互いにねじ止めされる複数のダンパ板を備え、上ダンパ板８１ａの上部、及び下ダンパ板８１ｂの下部に、筐体１１側の受け部に嵌る上支持軸８３と下支持軸８４とを取り付けた。【選択図】図６
2011075143.tif 000002
【特許請求の範囲】
【請求項１】
筐体内に、外気と内気を熱交換する全熱交換素子と、外気を屋内に全熱交換素子を経て導入する導入経路と、内気を屋外に全熱交換素子を経て排出する排出経路と、内気を屋外に全熱交換素子をバイパスして排出するバイパス経路と、バイパス経路及び排出経路を択一的に切換えるダンパ機構と、を備えた外気処理空気調和機において、前記ダンパ機構が、筐体の高さ方向に分割されて、互いにねじ止めされる複数のダンパ板を備え、上のダンパ板の上部、及び下のダンパ板の下部に、筐体側の受け部に嵌る支持軸を取り付けた、
ことを特徴とする外気処理空気調和機。
【請求項２】
前記複数のダンパ板のうち、一方のダンパ板には、上下に長い長孔が形成されていることを特徴とする請求項１に記載の外気処理空気調和機。
【請求項３】
前記ダンパ機構は、前記複数のダンパ板を一体に回動させるダンパモーターを備え、
前記ダンパモーターは、前記筐体に固定され、前記上のダンパ板の前記支持軸に連結されていることを特徴とする請求項１または２に記載の外気処理空気調和機。
【請求項４】
前記ダンパ機構は、前記筐体内に内気を吸込む屋内側吸込口に連通する空間に配置され、
前記屋内側吸込口に連通する空間を構成する前記筺体の側板にメンテナンスパネルが備えられたことを特徴とする請求項１から３のいずれかに記載の外気処理空気調和機。
【請求項５】
前記複数のダンパ板は、前記支持軸が設けられた位置で屈曲された略Ｌ字形状に形成されていることを特徴とする請求項１から４のいずれかに記載の外気処理空気調和機。
【請求項６】
前記複数のダンパ板は縁が吸込口側に折り曲げられていることを特徴とする請求項１から５のいずれかに記載の外気処理空気調和機。
【発明の詳細な説明】
【技術分野】
【０００１】
本発明は、外気を調温して屋内へ供給する外気処理空気調和機に関する。
【背景技術】
【０００２】
一般に、筐体内に、外気と内気とを熱交換する全熱交換素子を備え、この全熱交換素子によって調温された外気を屋内に供給する外気処理空気調和機が知られている（例えば、特許文献１参照）。この種の外気処理装置では、筺体内に、外気を屋内に全熱交換素子を経て導入する導入経路と、内気を屋外に全熱交換素子を経て排出する排出経路と、内気を屋外に全熱交換素子をバイパスして排出するバイパス経路とが形成されるとともに、バイパス経路と排出経路とを択一的に切換えるダンパ機構が設けられている。
【先行技術文献】
【特許文献】
【０００３】
【特許文献１】特開２００２−３２３２４７号公報
【発明の概要】
【発明が解決しようとする課題】
【０００４】
ところで、外気処理空気調和機は、一般に天井裏空間に配置されるため、天井裏空間に筺体の天板を外して作業する作業スペースを確保することは困難となっている。
一方、ダンパ機構は、各経路の一方を閉塞し、他方を開放するダンパ板を備え、このダンパ板を回動させることにより、内気を流通させる経路を切換えている。このダンパ板は十分な排気通量を確保するために、筺体の高さ方向のスペースを最大限に利用して設けられている。このため、ダンパ機構を筺体から取り外すことが困難となり、ダンパ機構のメンテナンスが行うことが困難になるといった問題があった。
本発明は、上述した事情に鑑みてなされたものであり、ダンパ機構のメンテナンスを容易に行うことができる外気処理空気調和機を提供することを目的とする。
【課題を解決するための手段】
【０００５】
上記目的を達成するために、本発明は、筐体内に、外気と内気を熱交換する全熱交換素子と、外気を屋内に全熱交換素子を経て導入する導入経路と、内気を屋外に全熱交換素子を経て排出する排出経路と、内気を屋外に全熱交換素子をバイパスして排出するバイパス経路と、バイパス経路及び排出経路を択一的に切換えるダンパ機構と、を備えた外気処理空気調和機において、前記ダンパ機構が、筐体の高さ方向に分割されて、互いにねじ止めされる複数のダンパ板を備え、上のダンパ板の上部、及び下のダンパ板の下部に、筐体側の受け部に嵌る支持軸を取り付けたことを特徴とする。
【０００６】
この構成において、前記複数のダンパ板のうち、一方のダンパ板には、上下に長い長孔が形成された構成としても良い。また、前記ダンパ機構は、前記複数のダンパ板を一体に回動させるダンパモーターを備え、前記ダンパモーターは、前記筐体に固定され、前記上のダンパ板の前記支持軸に連結された構成としても良い。さらに、前記ダンパ機構は、前記筐体内に内気を吸込む屋内側吸込口に連通する空間に配置され、前記屋内側吸込口に連通する空間を構成する前記筺体の側板にメンテナンスパネルが備えられた構成としても良い。また、前記複数のダンパ板は、前記支持軸が設けられた位置で屈曲された略Ｌ字形状に形成された構成としても良い。さらに、前記複数のダンパ板は縁が吸込口側に折り曲げられた構成としても良い。
【発明の効果】
【０００７】
本発明によれば、筐体内に、外気と内気を熱交換する全熱交換素子と、外気を屋内に全熱交換素子を経て導入する導入経路と、内気を屋外に全熱交換素子を経て排出する排出経路と、内気を屋外に全熱交換素子をバイパスして排出するバイパス経路と、バイパス経路及び排出経路を択一的に切換えるダンパ機構と、を備えた外気処理空気調和機において、前記ダンパ機構が、筐体の高さ方向に分割されて、互いにねじ止めされる複数のダンパ板を備え、上のダンパ板の上部、及び下のダンパ板の下部に、筐体側の受け部に嵌る支持軸を取り付けたため、ねじを取り外すことにより、複数のダンパ板の高さを伸縮させることができ、このダンパ板の支持軸を筺体の受け部から容易に取り外すことができ、従って、ダンパ機構のメンテナンス作業を軽減化することができる。
【図面の簡単な説明】
【０００８】
【図１】本実施形態にかかる外気処理空気調和機の内部構造を示す斜視図である。
【図２】外気処理空気調和機の平面図である。
【図３】外気処理空気調和機の側断面図である。
【図４】外気処理空気調和機から全熱交換素子を引き出した状態を示す分解斜視図である。
【図５】ダンパ板の構成を示す斜視図である、（ａ）は２枚のダンパ板が組み付けられている状態を示す図であり、（ｂ）は２枚のダンパ板が分解されている状態を示す図である。
【図６】ダンパ機構の配置状態を示す斜視図であり、（ａ）は排出経路が選択されている状態を示す図であり、（ｂ）はバイパス経路が選択されている状態を示す図である。
【発明を実施するための形態】
【０００９】
以下、図面を参照して本発明の一実施の形態について説明する。
図１は、本実施形態にかかる外気処理空気調和機の内部構造を示す斜視図であり、図２は、外気処理空気調和機の平面図であり、図３は、外気処理空気調和機の側断面図である。この図１及び図２では筐体の上面パネルを省略している。
【００１０】
外気処理空気調和機１０は、図１に示すように、略直方体形状の筐体１１を備え、この筐体１１の長手方向に対向する一対の側面パネル１１ａ、１１ｂのうち、屋内側の側面パネル１１ａには、図２に示すように、屋内側吸込口１２と屋内側吹出口１３とが形成され、屋外側の側面パネル１１ｂには屋外側吸込口１４と屋外側吹出口１５とが形成されている。
これら各吸込口及び各吹出口には、それぞれダクト（不図示）が接続され、これらダクトを介して屋内もしくは屋外の空間に連通している。また、外気処理空気調和機１０は、筐体１１の４隅に固着された吊金具１６を備え、これら吊金具１６は、ビル等の建築物の躯体から垂下された吊りボルト（不図示）に止着され、筐体１１が上記躯体と天井板との間の天井裏空間に吊り下げられるように構成される。
また、天井板には、図１に示すように、外気処理空気調和機１０を保守、点検するための点検口２０Ａ〜２０Ｃが形成されている。本実施形態では、外気処理空気調和機１０の筐体１１の長手方向に延びる一対の側面パネル１１ｃ、１１ｄのうち、一方の側面パネル１１ｃに沿って２つの点検口２０Ａ、２０Ｂが形成され、他方の側面パネル１１ｄ側に１つの点検口２０Ｃが形成されている。この点検口２０Ｃは、筺体１１の屋内側に位置して設けられている。また、一方の側面パネル１１ｃには、外気処理空気調和機１０の動作を制御する電装部品が収容された電装箱２１が配置されている。
【００１１】
外気処理空気調和機１０は、筐体１１内に外気調温用の全熱交換ユニット３０と、この全熱交換ユニット３０に接続される空調ユニット６０とを備えて構成されている。具体的には、筐体１１内は、上記した側面パネル１１ａ、１１ｂと略平行に設けられた仕切壁１７により屋外側と屋内側とに区分けされ、屋外側の空間に全熱交換ユニット３０が収容されている。屋内側の空間は、屋内側吸込口１２と屋内側吹出口１３との間に設けられた仕切壁１８により、さらに区分けされ、屋内側吹出口１３に連通する空間には空調ユニット６０が収容されている。この空調ユニット６０は、仕切壁１７に設けられた給気開口１７ａを通じて全熱交換ユニット３０と連なっている。
屋内側吸込口１２に連通する空間では、図２に示すように、仕切壁１７に、後述する排出経路３４、バイパス経路３９にそれぞれ連なる排気開口１７ｂ、バイパス開口１７ｃが設けられるとともに、これら排気開口１７ｂ、バイパス開口１７ｃの一方を閉塞して、屋内側吸込口１２から吸い込まれた内気ＲＡを排出経路３４もしくはバイパス経路３９に切換えて流すためのダンパユニット（ダンパ機構）８０が配置されている。このダンパユニット８０は、略Ｌ字形状に折り曲げられ、排気開口１７ｂ、バイパス開口１７ｃの一方を開放し、他方を閉塞するダンパ板８１と、このダンパ板８１を回動させるダンパモーター８２とを備える。
【００１２】
全熱交換ユニット３０は、図２に示すように、内気ＲＡと外気ＯＡとの顕熱の熱交換を行う全熱交換素子３１と、この全熱交換素子３１の屋外側に設けられた排気ファン３２と、当該全熱交換素子３１の屋内側に設けられた給気ファン３３と、筐体１１と協働して、内気ＲＡを屋外に全熱交換素子３１を経て排出する排出経路３４及び外気ＯＡを屋内に全熱交換素子３１を経て導入する導入経路３５を形成する風路形成体３６とを備える。この風路形成体３６は、発泡樹脂製の複数の部材を組み合わせて形成されており、平面視で全熱交換素子３１に対して左右対称となるように筐体１１内に配置されている。
また、本構成では、全熱交換ユニット３０には、筐体１１及び風路形成体３６との協働により、内気ＲＡを屋外に全熱交換素子３１をバイパスして排出するバイパス経路３９が形成されている。
【００１３】
全熱交換素子３１は、図３に示すように、略正四角柱状に形成されており、空気の吸込口又は吹出口となる４つの側面３１ａ〜３１ｄが筐体１１の上面パネル１１ｅ及び底面パネル１１ｆに対して傾斜した姿勢で、筐体１１の幅方向に延びて配置されている。具体的には、筐体１１の上面パネル１１ｅ、底面パネル１１ｆ及び風路形成体３６の全熱交換素子３１に対向する面には、それぞれ筐体１１の幅方向に延びる断面コ字形状のレール部材３７Ａ〜３７Ｄが設けられ、これらレール部材３７Ａ〜３７Ｄによって、全熱交換素子３１の各側辺部が支持されている。これによれば、筐体１１内は、全熱交換素子３１の４つの側面３１ａ〜３１ｄにそれぞれ連なる４つの空間３８ａ、３８ｂ、３８ｃ、３８ｄに区分けされる。
【００１４】
風路形成体３６、筐体１１の底面パネル１１ｆ及び全熱交換素子３１で形成された２つの空間３８ａ、３８ｂのうち、全熱交換素子３１の屋外側下方に位置する側面３１ａに連なる空間３８ａは、風路形成体３６を介して屋外側吸込口１４に連通している。このため、この空間３８ａが外気吸込経路となり、全熱交換素子３１の側面３１ａが吸込口となる。
また、全熱交換素子３１の屋内側下方に位置する側面３１ｂに連通する空間３８ｂは、排気開口１７ｂ及びダンパユニット８０（図１）を介して屋内側吸込口１２に連通している。このため、この空間３８ｂが内気吸込経路となり、全熱交換素子３１の側面３１ｂが吸込口となる。
【００１５】
一方、全熱交換素子３１の上側の側面３１ｃ、３１ｄは、風路形成体３６の外側に露出しており、風路形成体３６、筐体１１の上面パネル１１ｅ及び全熱交換素子３１で形成された２つの空間３８ｃ、３８ｄのうち、全熱交換素子３１の屋外側上方に位置する側面３１ｃに連なる空間３８ｃは、排気ファン３２を介して屋外側吹出口１５に連通している。このため、この空間３８ｃが排気通路となり、全熱交換素子３１の側面３１ｃが吹出口となる。
また、全熱交換素子３１の屋内側上方に位置する側面３１ｄに連なる空間３８ｄは、給気ファン３３及び空調ユニット６０を介して屋内側吹出口１３に連通している。このため、この空間３８ｄが給気通路となり、全熱交換素子３１の側面３１ｄが吹出口となる。
【００１６】
全熱交換素子３１は、蛇行状に折り曲げた折り曲げ紙に平板状紙をのせ、その上に、上記折曲げ紙とはその折り曲げ方向を変えた折り曲げ紙を重ねるようにして、これら折曲げ紙と平板状紙とを順次積層させて構成されている。このため、全熱交換素子３１の４つの側面３１ａ〜３１ｄにおいては、相対向する側面どうしが連通するようになっている。すなわち、側面３１ａと側面３１ｃ及び側面３１ｂと側面３１ｄは共に連通している。従って、本実施形態では、屋外側吸込口１４と屋内側吹出口１３との間は、外気吸込経路３８ａと給気通路３８ｄとが全熱交換素子３１を介して連通して導入経路３５を形成する一方、屋内側吸込口１２と屋外側吹出口１５との間は内気吸込通路３８ｂと排気通路３８ｃとが全熱交換素子３１を介して連通して排出経路３４を形成している。
【００１７】
風路形成体３６は、図１に示すように、全熱交換素子３１の屋内側に形成され、この全熱交換素子３１から仕切壁１７の給気開口１７ａに向けて下方に窪んだ屋内側凹部３６Ａと、全熱交換素子３１の屋外側に形成され、この全熱交換素子３１から側面パネル１１ｂの屋外側吹出口１５に向けて下方に窪んだ屋外側凹部３６Ｂとを備え、屋内側凹部３６Ａには給気ファン３３が配置され、屋外側凹部３６Ｂには排気ファン３２が配置されている。
排気ファン３２及び給気ファン３３は、ともにシロッコファンであり、排気ファン３２は、屋外側凹部３６Ｂにて筐体１１の側面パネル１１ｂの屋外側吹出口１５に対応する位置に取り付けられている。また、給気ファン３３は、屋内側凹部３６Ａにて仕切壁１７に形成された給気開口１７ａに対応する位置に取り付けられている。また、排気ファン３２及び給気ファン３３は、それぞれ回転羽根を駆動するためのファンモータ３２Ａ、３３Ａを備え、本構成では、これらファンモータ３２Ａ、３３Ａは、図１に示すように、天井板に設けられた２つの点検口２０Ａ、２０Ｂ側に位置する筐体１１の一方の側面パネル１１ｃに向けて設けられている。
【００１８】
次に、空調ユニット６０について説明する。
空調ユニット６０は、導入経路３５を通じて屋内に供給される外気を冷房または暖房するものであり、図３に示すように、室内熱交換器６１と、加湿器６２と、これら室内熱交換器６１及び加湿器６２から流下するドレン水を受けるドレンパン６３とを備える。室内熱交換器６１は、膨張弁６４（図２）を介して、圧縮機及び熱源側熱交換器を備えた空気調和装置の室外ユニット（不図示）に接続されており、冷房運転時には、蒸発器として機能して外気を冷却して屋内に供給し、暖房運転時には凝縮器として機能して外気を加温して屋内に供給する。
また、空調ユニット６０は、室内熱交換器６１の一端に膨張弁６４を介して接続された液冷媒配管接続口６５と、室内熱交換器６１の他端に接続されたガス冷媒配管接続口６６とを備え、これら液冷媒配管接続口６５及びガス冷媒配管接続口６６は、図１に示すように、上記点検口２０Ａ、２０Ｂ側に位置する筐体１１の側面パネル１１ｃを貫通している。
【００１９】
加湿器６２は、室内熱交換器６１の外気の流れの下流側に設けられ、保水性の高い加湿エレメント（不図示）に水を吸収させるとともに、この加湿エレメントに外気を通過させることにより、この外気を加湿する。
この加湿器６２には、給水接続口６７を有する加湿器制御箱６８が設けられ、この加湿器制御箱６８内には、給水接続口６７から供給された水の圧力を所定の圧力まで減じる減圧弁と、この減圧された水を加湿エレメントに供給するために開閉する電磁弁と、この電磁弁の動作を制御する制御基板とが設けられている。本実施形態では、加湿器制御箱６８は、図１に示すように、上記点検口２０Ａ、２０Ｂ側に位置する筐体１１の側面パネル１１ｃに設けられている。
また、この側面パネル１１ｃには、当該側面パネル１１ｃの下方位置に、上記したドレンパン６３で受けたドレン水を外部に排出するためのドレン管接続口６９が設けられている。このドレン管接続口６９は、ドレンパン６３からドレン水を自然排水する際にドレン管が接続されるものである。なお、符号７０もドレン管接続口であり、このドレン管接続口７０は、ドレンパン６３からドレンポンプを利用して排水する場合に使用される。このドレン管接続口７０が使用される場合には、自然排水用のドレン管接続口６９は封止される。
【００２０】
本実施形態では、筐体１１の側面パネル１１ｃには、図４に示すように、全熱交換素子３１に対応する位置に着脱自在なメンテナンスパネル２２が設けられている。また、上述のように、全熱交換素子３１は、筐体１１内に配置された４つのレール部材３７Ａ〜３７Ｄにより、当該全熱交換素子３１の側辺部が支持されている。このため、メンテナンスパネル２２を外すことにより、点検口２０から全熱交換素子３１を筐体１１の幅方向に簡単に抜き差しすることができ、この全熱交換素子３１の交換等のメンテナンス作業を容易に行うことができる。さらに、本実施形態では、全熱交換素子３１は、２つに分割して収容されているため、点検口２０Ａ、２０Ｂからの作業であっても、全熱交換素子３１を簡単に筐体１１から抜き差しすることができる。
【００２１】
また、本実施形態では、筐体１１の側面パネル１１ｃに上記メンテナンスパネル２２を設けたほかに、この側面パネル１１ｃに向けて給気ファン３３及び排気ファン３２の各ファンモータ３３Ａ、３２Ａを配置し、さらに、冷媒配管やドレン配管の接続口、加湿器の給水管の接続口及び電装箱２１を当該側面パネル１１ｃに設けたため、これら各部位に点検口２０Ａ、２０Ｂから簡単にアクセスすることができ、天井裏空間に入り込まなくても当該部位のメンテナンスを容易に行うことができる。
【００２２】
次に、ダンパユニット８０について説明する。
図５はダンパ板８１の構成を示す図であり、図６はダンパユニット８０の配置状態を示す図である。
上記した外気処理空気調和機１０では、ダンパユニット８０のダンパ板８１を排気開口１７ｂを開放し、バイパス開口１７ｃを閉塞した状態（図６（ａ）参照）とし、排気ファン３２を駆動することによって、内気ＲＡは屋内側吸込口１２から筐体１１内に吸い込まれた後、排出経路３４を通って屋外側吹出口１５から排気ＥＡとして屋外に排出される。一方、給気ファン３３を駆動することによって、外気ＯＡは屋外側吸込口１４から筐体１１内に吸い込まれた後、導入経路３５を通って全熱交換素子３１に至り、この全熱交換素子３１にて内気ＲＡと熱交換をする。そして、この熱交換した外気ＯＡは、空調ユニット６０に至り、この空調ユニット６０の室内熱交換器６１にて冷却または加熱され、さらに必要に応じて加湿器６２にて加湿された後に、屋内側吹出口１３から給気ＳＡとして屋内に供給される。
また、暖房運転時に外気温度よりも室温が低い場合、もしくは、冷房運転時に外気温度よりも室温が高い場合には、ダンパユニット８０のダンパ板８１を排気開口１７ｂを閉塞し、バイパス開口１７ｃを開放した状態（図６（ｂ）参照）とすることにより、内気ＲＡは屋内側吸込口１２から筐体１１内に吸い込まれた後、全熱交換素子３１を通過しないバイパス経路３９を通って屋外側吹出口１５から排気ＥＡとして屋外に排出される。
【００２３】
さらに、外気処理空気調和機１０の停止後（例えば、夜間や休日）に室温が外気温よりも高く空気調和機の設定温度よりも高くなった場合に、空調ユニット６０の運転を停止したままで、排気ファン３２を駆動し、内気ＲＡを、バイパス開口１７ｃ、バイパス経路３９を経由して屋外側吹出口１５から排気ＥＡとして屋外に排出し、給気ファン３３を駆動し、外気ＯＡを給気ＳＡとして屋内に供給する、ナイトパージ運転を自動で行うよう設定することができる。さらに、ナイトパージ運転は室温が外気温もしくは空気調和機の設定温度よりも低くなった時に自動停止するように設定することができる。
これによって、冷暖房負荷を軽減するとともに、省資源、省エネルギー化を図ることができる。
【００２４】
ダンパ板８１は、図５に示すように、高さ方向にそれぞれ上下に分割された２枚の上ダンパ板８１ａ及び下ダンパ板８１ｂを備える。これら上ダンパ板８１ａ及び下ダンパ板８１ｂは、略Ｌ字形状に屈曲され、上ダンパ板８１ａの屈曲部上端には、この上端から上方に延出する上支持軸８３が設けられ、下ダンパ板８１ｂの屈曲部下端には、この下端から下方に延出する下支持軸８４が設けられる。また、下ダンパ板８１ｂの上部には、その両側端付近に一対の丸孔と上下に長い長孔とからなる掛孔８６が設けられている。この掛孔８６は、長孔の長さが上支持軸８３の長さよりも長く形成されている。上ダンパ板８１ａの下部には、下ダンパ板８１ｂに設けられた掛孔８６の左右方向に適合する位置に一対のねじ孔８７が設けられている。
これらの構成によれば、上下支持軸８３、８４がそれぞれ上下ダンパ板８１ａ、８１ｂの上端、下端に分割されて設けられているため、ねじ孔８７に挿入されたねじの頭部を掛孔８６の丸孔部分から挿入し、掛孔８６の長孔部分に引き上げることによって、ダンパ板８１の高さを伸縮自在に調整することができ、ねじを閉めることでダンパ板８１の高さを固定することができる。また、ねじを上ダンパ板から取り外すことなく２枚のダンパ板を分割することができ、メンテナンス作業時等のねじの紛失を防止することができる。
【００２５】
さらに、２枚の上ダンパ板８１ａと下ダンパ板８１ｂとが固定位置にある時に、２枚の当該ダンパ板をねじ止めできるように、下ダンパ板８１ｂの上部に、屈曲部上に位置する長孔８８を設け、上ダンパ板８１ａの下部に、屈曲部上に位置するねじ孔８９が設けられている。
これらの構成によれば、メンテナンス時以外に、２枚の板の両端をねじ止めしているねじの一方が緩んだ場合に、上ダンパ板８１ａが下ダンパ板８１ｂに対して傾く、或いは、すべり落ちることを防止することができる。
【００２６】
ダンパユニット８０は、図６（ｂ）に示すように、下ダンパ板８１ｂの下支持軸８４が筐体１１側の受け部９０に嵌り、上ダンパ板８１ａの上支持軸８３がダンパモーター８２の回転軸受け部（不図示）に着脱自在に連結され、ダンパモーター８２が支持台８５に着脱自在に装着され、支持台８５が仕切壁１７にねじ止めされ備えられている。支持台８５にはダンパモーター８２の回転軸受け部に貫通孔（不図示）が設けられており、この貫通孔を介してダンパモーター８２とダンパ板８１とが連結されている。
本実施形態では、ダンパモーター８２はステッピングモーターであり、ダンパモーター８２が駆動すると、これに連結されたダンパ板８１が筐体１１に対して回転し、排気開口１７ｂとバイパス開口１７ｃを択一的に開閉する構成となっている。
【００２７】
この構成によれば、２枚のダンパ板８１ａと８１ｂの両側端に設けられた掛孔８６とねじ孔８７を締着しているねじを緩め、長孔８８とねじ孔８９を締着しているねじを外し、ダンパ板８１の高さを縮め、上ダンパ板８１ａに設けられた上支持軸８３をダンパモーター８２の回転軸受け部から抜き取ることができる。これによって、ダンパ板８１を筐体１１から取り外すことができるとともに、ダンパモーター８２を上方向に持ち上げることなく、仕切壁１７から取り外すことができるため、ダンパモーター８２を筐体１１の天板に近接させて備えることができ、十分な排気通量を確保するために、排気口を筺体の高さ方向のスペースを最大限に利用して設けることができる。
【００２８】
また、本実施形態では、筐体１１の側面パネル１１ｄの屋内側吸込口１２に連通する空間側面に、メンテナンスパネル２３が着脱自在に設けられており、メンテナンスパネル２３を取り外すことによって、点検口２０ｃから、筐体１１の上面を覆う蓋部材を取り外すことなく、屋内側吸込口１２に連通する空間内に手を伸ばし入れ、メンテナンス作業を行うことができる。
この構成によれば、メンテナンスパネル２３を外すことにより、点検口２０ｃから、ダンパモーター８２の交換等のダンパユニット８０のメンテナンスを行うことが可能となり、メンテナンス労力を大幅に低減することができる。
【００２９】
また、ダンパ板８１ａと８１ｂは、図５に示されるように、支持軸８３と８４が設けられた部分で屈曲された略Ｌ字形に形成され、ダンパ板８１は、左右一方の面積が、もう一方の面積よりも広くなるように設けられ、ダンパ板８１の広面積側が排気開口１７ｂと適合し、もう一方側がバイパス開口１７ｃと適合するよう構成されている。さらに、バイパス開口１７ｃが閉じられた状態においては、内気ＳＡを排気開口１７ｂに誘導するために、ダンパ板８１の広面積側の側端が筐体１１の側面パネル１１ｄと近接するよう構成されている。また、それぞれのダンパ板８１ａと８１ｂの左右両端の縁は、当該ダンパ板の角部の屈曲方向と同じ方向に向かって折り曲げられている。
【００３０】
この構成によれば、全熱交換素子３１を経由させて換気を行う場合に、全熱交換素子３１での熱交換効率を保つための十分な排気流量を排気開口１７ｂを介して得ることができる。また、ダンパユニット８０を略Ｌ字形状に形成したことによって、例えば、ダンパ板の一側端に支持軸を設け、この支持軸を中心にダンパ板を約１８０度回転させて空気の流通経路を切換える構成とされたものに比べて、排気開口１７ｂとバイパス開口１７ｃを閉開するためのダンパ板８１を回動させるダンパモーター８２の回転数を抑えることができ、ダンパモーター８２の寿命を延ばすことができると共に、省エネルギー化を図ることができる。
さらに、ダンパ板８１の左右両端の縁が、屋内側吸込口１２の方向に向かって折り曲げられているため、このダンパ板８１が補強されることにより、排出経路３４、或いは、バイパス経路３９のどちらか一方がダンパ板８１によって閉塞されている状態において、排気開口１７ｂ、もしくは、バイパス開口１７ｃの閉塞されている開口に対してダンパ板８１が風圧で押され、内気が選択していない方の経路に漏入することを防止することができる。
【００３１】
また、排気開口１７ｂとバイパス開口１７ｃの外周に沿って、ダンパユニット８０が取り付けられた側の仕切壁１７に、緩衝材が備えられている。この構成によれば、ダンパ板８１と、仕切壁１７とが接触する部分に緩衝材が備えられているため、接触による衝撃と振動を抑えるとともに、内気がダンパ板８１によって閉塞されている側の経路に漏入するのを防止することができる。
【００３２】
以上、実施形態に基づいて本発明を説明したが、本発明はこれに限定されるものではない。本実施形態では、ダンパ機構が、上下２枚に分割されたダンパ板を備える構成としたが、これに限らず、ダンパ機構の高さをさらに縮める必要がある場合は、高さ方向に分割された複数のダンパ板を備えた構成としても良い。
また、本実施形態では、２枚のダンパ板８１ａと８１ｂが固定位置にある時に、任意で２枚の当該ダンパ板をねじ止めできるように、下ダンパ板８１ｂの角部上部に長孔を設け、上ダンパ板８１ａの角部下部にねじ孔を設けた構成としたが、これに限るものではない。任意で備えられる固定用のねじの紛失等を考慮して、下ダンパ板の上部に、屈曲部上に位置する長孔加工された受け孔を設け、上ダンパ板の下部に、屈曲部上に位置する凸部を設けた構成とし、２枚のダンパ板が固定位置にある時に、受け孔と凸部が嵌合する構成としても良い。
その他の細部構成等についても任意に変更可能であることは勿論である。
【符号の説明】
【００３３】
１０  外気処理空気調和機
１１  筐体
１２  屋内側吸込口
１３  屋内側吹出口
１４  屋外側吸込口
１５  屋外側吹出口
１７  仕切壁
１７ａ  給気開口
１７ｂ  排気開口
１７ｃ  バイパス開口
２０ａ、２０ｂ、２０ｃ  点検口
２３  メンテナンスパネル
３０  全熱交換ユニット
３１  全熱交換素子
３２  排気ファン
３３  給気ファン
３４  排出経路
３５  導入経路
３６  風路形成体
３９  バイパス経路
６０  空調ユニット
８０  ダンパユニット
８１  ダンパ板
８１ａ  上ダンパ板
８１ｂ  下ダンパ板
８２  ダンパモーター
８３  上支持軸
８４  下支持軸
９０  受け部
ＥＡ  排気
ＯＡ  外気
ＲＡ  内気
ＳＡ  給気
【図１】
2011075143.tif 000003
【図２】
2011075143.tif 000004
【図３】
2011075143.tif 000005
【図４】
2011075143.tif 000006
【図５】
2011075143.tif 000007
【図６】
2011075143.tif 000008